(57)【要約】【課題】  台板発光基板を薄く小さく形成して装置全体の小型化・簡素化を図ることのできる遊技機用入賞装置を提供する。【解決手段】  台板２４には、台板発光基板３４の中央部の貫通孔３４ｂの形成位置（発光基板不存在位置に相当する）に対応して、第二ケース２５ｂに収納された伝動機構２７及び玉誘導樋を収容・配置するための収容孔が形成されている。台板凹部２４ａに台板発光基板３４を収納保持して、台板２４を遊技盤２の盤面に対して前方側から取り付ける。台板２４に対して前方側から前側装飾部２３を重ね合わせるとともに、後方側からケーシング２５（第二ケース２５ｂ）を重ね合わせて配置する。台板２４と前側装飾部２３とケーシング２５とを、台板発光基板３４の貫通孔３４ｂの内部を通る第二ケース取付ビス４２によって共締め固定する。【選択図】  図６
2008086699.tif 000002
【特許請求の範囲】
【請求項１】
遊技盤の盤面に取り付けられる台板とその台板から前方側に突出して配置される前側装飾部との間に架設された前後方向の回動軸の軸線周りに回動して、入賞口への入賞困難な第一位置とその入賞口への入賞容易な第二位置とに変位可能な一対の回動翼片を前記入賞口の両側に配置するとともに、その回動翼片を前記第一位置及び第二位置の間で駆動変位させるアクチュエータと、そのアクチュエータの駆動力を前記回動翼片に伝達する伝動機構とを収納して、前記台板に後方側から取り付けられるケーシングを有する遊技機用入賞装置であって、
前記台板には、前方に向けて発光する台板発光素子が主表面に実装された台板発光基板を後面において収納するための台板凹部と、前記台板発光素子の装着位置に対応して当該台板発光素子が発する光を外部に漏出させるための透光性の台板表示部とが形成され、
前記台板凹部に前記台板発光基板を収納保持した状態で前記台板が前記盤面に対して前方側から取り付けられるとともに、その台板に対して前方側から前記前側装飾部を、後方側から前記ケーシングをそれぞれ重ね合わせて配置された形態において、それら台板と前側装飾部とケーシングとが、ケーシング用締結部材によって発光基板不存在位置にて共締め状態で固定されることを特徴とする遊技機用入賞装置。
【請求項２】
遊技盤の盤面に取り付けられる台板とその台板から前方側に突出して配置される前側装飾部との間に架設された前後方向の回動軸の軸線周りに回動して、入賞口への入賞困難な第一位置とその入賞口への入賞容易な第二位置とに変位可能な一対の回動翼片を前記入賞口の両側に配置するとともに、その回動翼片を前記第一位置及び第二位置の間で駆動変位させるアクチュエータと、そのアクチュエータの駆動力を前記回動翼片に伝達する伝動機構とを収納して、前記台板に後方側から取り付けられるケーシングを有する遊技機用入賞装置であって、
前記台板には、前方に向けて発光する台板発光素子が主表面に実装されるとともに、中央部に貫通孔を有する環状の台板発光基板を後面において収納するための台板凹部と、前記台板発光素子の装着位置に対応して当該台板発光素子が発する光を外部に漏出させるための透光性の台板表示部と、前記台板発光基板の貫通孔の形成位置に対応して前記伝動機構を収容・配置するための収容孔とが形成され、
前記台板凹部に前記台板発光基板を収納保持した状態で前記台板が前記盤面に対して前方側から取り付けられるとともに、その台板に対して前方側から前記前側装飾部を、後方側から前記ケーシングをそれぞれ重ね合わせて配置された形態において、それら台板と前側装飾部とケーシングとが、前記貫通孔の内部を通るケーシング用締結部材によって共締め状態で固定されることを特徴とする遊技機用入賞装置。
【請求項３】
前記入賞口の両側に配置される一対の回動翼片の上方には、前記台板から前方側に突出して上部入賞口が配置される一方、
前記台板発光基板には１又は複数の発光素子が前記台板発光素子として前記主表面に実装されるとともに、前記上部入賞口を周囲から照らし出すために、その上部入賞口を全体的に又は部分的に外側から取り囲むように光反射部が配置されている請求項１又は２に記載の遊技機用入賞装置。
【請求項４】
前記台板発光基板には、前記一対の回動翼片が前記第二位置に回動変位したときにその回動翼片によって前記入賞口を挟んで両側に形成される玉案内通路に対応して、複数の発光素子が前記台板発光素子として前記主表面に実装されている請求項１又は２に記載の遊技機用入賞装置。
【請求項５】
前記台板発光基板には、前記前側装飾部を照らし出すために１又は複数の発光素子が前記台板発光素子として前記主表面に実装されている請求項１又は２に記載の遊技機用入賞装置。
【発明の詳細な説明】
【技術分野】
【０００１】
本発明は、遊技機用入賞装置に関する。
【背景技術】
【０００２】
一般にパチンコ機のような遊技機の遊技盤上には、始動入賞口（スタートチャッカー）や大入賞口（アタッカー）のような遊技機用入賞装置が備えられている。これらの遊技機用入賞装置は、台板によって遊技盤の盤面に取り付けられるとともに、台板から前方側（遊技者側）に突出して配置される前側装飾部を有している。そして、例えば電動チューリップと通称（略称電チュー）される可変入賞装置の台板の後面側凹部に発光基板（配線基板）を収納し、その発光基板の主表面に前方に向けて発光するための発光素子を実装することが提案されている（特許文献１参照）。
【０００３】
【特許文献１】特開２００３−１１１９１０号公報
【０００４】
特許文献１に示す可変入賞装置の台板には、発光素子が発する光を外部（前方）に漏出させるための表示孔が貫通形成されているので、表示孔によって発光素子が保護されるとともに、前方側から発光素子の発光態様を視認することができる。しかし、この発光基板は台板にビス（締結部材）で締付固定されるのが通常であり、発光基板の小型化（特に薄型化）が図られるようになると、発光基板に割れ・変形等が生じやすくなる。
【発明の開示】
【発明が解決しようとする課題】
【０００５】
本発明の課題は、台板発光基板を薄く小さく形成して装置全体の小型化・簡素化を図ることのできる遊技機用入賞装置を提供することにある。
【課題を解決するための手段及び発明の効果】
【０００６】
上記課題を解決するために、本発明の遊技機用入賞装置は、
遊技盤の盤面に取り付けられる台板とその台板から前方側に突出して配置される前側装飾部との間に架設された前後方向の回動軸の軸線周りに回動して、入賞口への入賞困難な第一位置とその入賞口への入賞容易な第二位置とに変位可能な一対の回動翼片を前記入賞口の両側に配置するとともに、その回動翼片を前記第一位置及び第二位置の間で駆動変位させるアクチュエータと、そのアクチュエータの駆動力を前記回動翼片に伝達する伝動機構とを収納して、前記台板に後方側から取り付けられるケーシングを有する遊技機用入賞装置であって、
前記台板には、前方に向けて発光する台板発光素子が主表面に実装された台板発光基板を後面において収納するための台板凹部と、前記台板発光素子の装着位置に対応して当該台板発光素子が発する光を外部に漏出させるための透光性の台板表示部とが形成され、
前記台板凹部に前記台板発光基板を収納保持した状態で前記台板が前記盤面に対して前方側から取り付けられるとともに、その台板に対して前方側から前記前側装飾部を、後方側から前記ケーシングをそれぞれ重ね合わせて配置された形態において、それら台板と前側装飾部とケーシングとが、ケーシング用締結部材によって発光基板不存在位置にて共締め状態で固定されることを特徴とする。
【０００７】
このような遊技機用入賞装置において、台板の後面に形成された台板凹部に台板発光基板を収納保持した状態で、台板に対して前方側から前側装飾部を、後方側からケーシングをそれぞれ重ね合わせて配置し、台板と前側装飾部とケーシングの３者を、発光基板不存在位置にてケーシング用締結部材（例えばビス）により共締め状態で固定する。これによって、台板発光基板を薄くかつ小さく形成しても割れ・変形等を生じにくく耐久性が向上し、遊技機用入賞装置全体の小型化・簡素化を図ることができる。
【０００８】
ところで、透光性の台板表示部は、貫通形成された台板表示孔を設けたり、透光性を有する透明又は半透明材料によって構成したりすることができる。また、ケーシング用締結部材にはビス等の締付固定具が用いられる。なお、主表面は台板発光基板の表面又は裏面をいう。
【０００９】
一方、遊技機用入賞装置には、一対の回動翼片を有し、始動入賞口（スタートチャッカー）や一般の入賞口（チャッカー）として用いられ、電動チューリップと通称（電チューとも略称）される可変入賞装置を含む。
【００１０】
そして、上記課題を解決するために、本発明の遊技機用入賞装置は具体的に、
遊技盤の盤面に取り付けられる台板とその台板から前方側に突出して配置される前側装飾部との間に架設された前後方向の回動軸の軸線周りに回動して、入賞口への入賞困難な第一位置とその入賞口への入賞容易な第二位置とに変位可能な一対の回動翼片を前記入賞口の両側に配置するとともに、その回動翼片を前記第一位置及び第二位置の間で駆動変位させるアクチュエータと、そのアクチュエータの駆動力を前記回動翼片に伝達する伝動機構とを収納して、前記台板に後方側から取り付けられるケーシングを有する遊技機用入賞装置であって、
前記台板には、前方に向けて発光する台板発光素子が主表面に実装されるとともに、中央部に貫通孔を有する環状の台板発光基板を後面において収納するための台板凹部と、前記台板発光素子の装着位置に対応して当該台板発光素子が発する光を外部に漏出させるための透光性の台板表示部と、前記台板発光基板の貫通孔の形成位置に対応して前記伝動機構を収容・配置するための収容孔とが形成され、
前記台板凹部に前記台板発光基板を収納保持した状態で前記台板が前記盤面に対して前方側から取り付けられるとともに、その台板に対して前方側から前記前側装飾部を、後方側から前記ケーシングをそれぞれ重ね合わせて配置された形態において、それら台板と前側装飾部とケーシングとが、前記貫通孔の内部を通るケーシング用締結部材によって共締め状態で固定されることを特徴とする。
【００１１】
このように、台板の後面に形成された台板凹部に台板発光基板を収納保持した状態で、台板に対して前方側から前側装飾部を、後方側からケーシングをそれぞれ重ね合わせて配置し、台板と前側装飾部とケーシングの３者を、発光基板不存在位置である台板発光基板の貫通孔位置にてケーシング用締結部材（例えばビス）により共締め状態で固定する。これによって、台板発光基板を薄くかつ小さく形成しても割れ・変形等を生じにくく耐久性が向上し、遊技機用入賞装置全体の小型化・簡素化を図ることができる。
【００１２】
しかも、台板発光基板を環状形成することにより、台板発光基板がずれないように台板（の台板凹部）とケーシングとで押圧保持する場合でも、その保持面積（押圧面積）が広くなるので、基板に働く圧縮応力を低く抑えることができる。したがって、台板凹部での台板発光基板のずれを防止するためにビス等のケーシング用締結部材で強く締め付けても、台板発光基板の割れ・変形等が発生しにくくなる。なお、台板発光基板の貫通孔の形成位置に対応して台板に形成された収容孔には、伝動機構の下方において、入賞球を後方に誘導案内するための玉誘導樋を収容・配置することができる。
【００１３】
これらの遊技機用入賞装置において、入賞口の両側に配置される一対の回動翼片の上方には、台板から前方側に突出して上部入賞口が配置される一方、
台板発光基板には１又は複数の発光素子が台板発光素子として主表面に実装されるとともに、上部入賞口を周囲から照らし出すために、その上部入賞口を全体的に又は部分的に外側から取り囲むように光反射部が配置されていることが望ましい。
【００１４】
このように、入賞口の上方に配置された上部入賞口を、下側を含む周囲から照らし出すことにより、遊技盤上の遊技に新たな興趣を付与することができる。
【００１５】
台板発光基板には、一対の回動翼片が前記第二位置に回動変位したときにその回動翼片によって入賞口を挟んで両側に形成される玉案内通路に対応して、複数の発光素子が台板発光素子として主表面に実装されていてもよい。
【００１６】
このように、入賞口を挟んで両側に形成される玉案内通路を、台板発光素子によって照らし出すことにより、遊技盤上の遊技に新たな興趣を付与することができる。
【００１７】
台板発光基板には、前側装飾部を照らし出すために１又は複数の発光素子が台板発光素子として主表面に実装されていてもよい。
【００１８】
このように、台板発光素子によって前側装飾部を照らし出すことにより、遊技盤上の遊技に新たな興趣を付与することができる。
【００１９】
以上のような遊技機用入賞装置では、台板発光素子として、上部入賞口用の発光素子と、玉案内通路用の発光素子と、前側装飾部用の発光素子とが、共通基板としての単一の台板発光基板の主表面に実装されていることが望ましい。
【００２０】
このように、遊技盤上の遊技に新たな興趣を付与することができる各種の台板発光素子を単一の台板発光基板の主表面に実装することによって、台板発光基板を薄く小さく形成し、遊技機用入賞装置全体の小型化・簡素化を図ることができる。
【発明を実施するための最良の形態】
【００２１】
（実施例）
以下、本発明の実施の形態を図面を参照しつつ説明する。図１は本発明に係る遊技機用入賞装置（以下、単に入賞装置ともいう）を備えたパチンコ機の一例を示す正面図、図２は本発明に係る入賞装置の一例を示す平面図、正面図、側面図及び背面図、図３はその入賞装置の分解斜視図、図４は台板発光基板及び前飾り発光基板の斜視図である。図１に示すように、パチンコ機１（遊技機）の遊技盤２の前面には、ほぼ左半周が内外２本の発射レール３によって区画され、全体としてほぼ円形の遊技領域４が形成されている。
【００２２】
この遊技領域４の略中央部には、遊技中に行われる第一の当否抽選（特別図柄抽選）の結果等を演出表示及び確定表示するための液晶表示部５が設置されている。また、液晶表示部５の下方には、始動入賞口２０ｃ（入賞口；図２（ｂ）参照）を狭く開口し入賞困難な第一位置（閉鎖状態；図２参照）と広く開口し入賞容易な第二位置（開放状態；図９参照）とに開口態様が変化する一対の回動翼片２０ａ，２０ａ（回動部材）を有し、入賞に基づき賞球払出しが行われるとともに、第一の当否抽選を開始させるスタートチャッカー２０（遊技機用入賞装置；遊技機用役物装置）が配置されている。さらに、スタートチャッカー２０の下方には、第一の当否抽選の結果が大当たりのときに開閉扉６ａを開放して多くの遊技球を入賞しやすくするアタッカー６（大入賞口）等が配置されている。そして、液晶表示部５の左右には、遊技球のゲート通過により第二の当否抽選（普通図柄抽選）を開始させるスルーゲート１０Ｌ，１０Ｒ（通過ゲート）がそれぞれ配置されている。
【００２３】
そして、遊技領域４の下側周縁部には、アタッカー６を挟む形態で、左右一対のサイドランプ７Ｌ，７Ｒが配置されている。また、左サイドランプ７Ｌには、スタートチャッカー２０への入賞に基づく第一の当否抽選の結果を特別図柄として確定表示する特別図柄表示部７ａ等が設置されている。一方、スタートチャッカー２０の前側装飾部２３の前方を覆う前カバー２２（カバー体）には、スルーゲート１０Ｌ，１０Ｒのゲート通過に基づく第二の当否抽選の結果を普通図柄として確定表示する普通図柄表示部２２ａ１、及び第二の当否抽選の結果の表示が保留状態にある保留球数を所定数（例えば４個）までカウント表示（例えばＬＥＤの点灯個数で表示）する普通図柄保留表示部２２ａ２等が設置されている（図２（ｂ）参照）。
【００２４】
このようなパチンコ機１においては、遊技球がスルーゲート１０Ｌ，１０Ｒを通過すると第二の当否抽選が行われる。その第二の当否抽選の結果は、普通図柄表示部２２ａ１に普通図柄として確定表示（例えば○×のＬＥＤ停止表示）される。このとき、普通図柄表示部２２ａ１の確定表示が「当たり」（例えば○の停止表示）であると、スタートチャッカー２０の回動翼片２０ａ，２０ａを所定時間（例えば０．２秒間）第二位置（開放状態）とする。そして、この間に遊技球がスタートチャッカー２０に入賞すると、賞球払出しが行われるとともに第一の当否抽選が行われる。その第一の当否抽選の結果は、特別図柄表示部７ａに特別図柄として確定表示される。例えば、特別図柄表示部７ａの確定表示が「大当たり」（例えば、「７」等の数字）であると、アタッカー６を所定時間（例えば３０秒間）開放する。このとき液晶表示部５では、所定の演出表示（例えば各々０〜９からなる３桁の数字の変動表示）が行なわれた後、「大当たり図柄」（例えば、「７７７」等の３桁のゾロ目）で停止表示して、大当たり状態を報知する。このように、第一及び第二の当否抽選は本来独立して実行されるが、遊技の進行状況により第二の当否抽選に続いて第一の当否抽選が実行される場合がある。
【００２５】
なお、本実施例において、上下方向とは遊技盤２の盤面に沿う形で遊技球が流下する方向（例えば鉛直方向）を意味する。また、左右方向とは遊技盤２に沿う形で上下方向と交差する方向（例えば水平方向）を意味し、遊技者側から見て左側、右側をいう。さらに、前後方向とは遊技盤２と交差（例えば直交）する方向を意味し、前方側（手前側）が遊技者側、後方側（奥側）が遊技盤２（遊技領域４）側となる。
【００２６】
図２及び図３に示すように、スタートチャッカー２０は、遊技盤２の盤面に対して前方側から取り付けられる台板２４と、台板２４から前方側に突出する前側装飾部２３と、台板２４に後方側から取り付けられるケーシング２５とを備えている。上記した一対の回動翼片２０ａ，２０ａは、台板２４と前側装飾部２３との間に架設された回動軸２０ｂの軸線Ｏ周りに第一位置及び第二位置の間で回動可能に配置されている。ケーシング２５は、回動翼片２０ａ，２０ａを第一位置及び第二位置の間で駆動変位させるソレノイド２６（アクチュエータ）及び入賞球を検知するチャッカーセンサ２１（遊技球検出センサ；図５参照）が収納された第一ケース２５ａと、ソレノイド２６の駆動力を回動翼片２０ａ，２０ａに伝達する伝動機構２７及び入賞球をチャッカーセンサ２１へ導く玉誘導樋２０ｇ（図５参照）が収納された第二ケース２５ｂとを有している。
【００２７】
一対の回動翼片２０ａ，２０ａ（始動入賞口２０ｃ）の上方には、台板２４から前方側に突出して上部入賞口２０ｅが配置されている。また、一対の回動翼片２０ａ，２０ａが第二位置（開放状態）に回動変位したとき、各回動翼片２０ａの上面には始動入賞口２０ｃを挟んで両側に遊技球Ｂの玉案内通路２０ｄ，２０ｄが形成される（図９参照）。さらに、前側装飾部２３の下部には、半径方向外側の斜め下方に向って二又状に延出する透明又は半透明の光透過部２３ｄ，２３ｄが一体的に形成されている。この光透過部２３ｄ，２３ｄの内部に嵌合する形で、円弧状の光拡散部２０ｆが別体に形成されている（図６参照）。後述するように、台板発光基板３４の主表面に実装された前方発光素子３４ａ３から出た光が光拡散部２０ｆで拡散し、光透過部２３ｄ，２３ｄを透過して前側装飾部２３を照らし出す（図６，図９参照）。
【００２８】
前側装飾部２３の前面には、前側装飾部２３の外周縁よりもやや小さい前飾り凹部２３ａが形成されている。中央部に挿通孔３３ｂを有する環状の前飾り発光基板３３が前飾り凹部２３ａに収容され、前飾り発光基板３３の主表面（前面）に実装された前飾り発光素子３３ａ（図４参照）が前方に向けて発光する。また、前飾り凹部２３ａには、前飾り発光基板３３の前方に位置して、前側装飾部２３と重ね合わせるように前カバー２２（カバー体）が配置されている。前飾り発光素子３３ａが発する光を外部に漏出させるために、透明樹脂製で蓋状又は連通孔状の前飾り表示部２２ａが前飾り発光素子３３ａの装着位置に対応して前カバー２２に形成されている。
【００２９】
具体的には、図４にも示すように、前飾り発光基板３３の上半部には、複数（例えば２個）の前飾り発光素子が左右に並んで配置されて、上記した普通図柄発光素子３３ａ１を構成する。そして、前カバー２２には、これに対応して透明蓋状で同数の前飾り表示部（図７参照）が配置されて、上記した普通図柄表示部２２ａ１（例えば図２（ｂ）の○×表示）を構成する。一方、前飾り発光基板３３の下半部には、複数（例えば４個）の前飾り発光素子が円弧状に配置されて、上記した普通図柄保留発光素子３３ａ２を構成する。そして、前カバー２２には、これに対応して連通孔状で同数の前飾り表示孔（図７参照）が配置されて、上記した普通図柄保留表示部２２ａ２（例えば図２（ｂ）の点灯個数表示）を構成する。
【００３０】
図５に示すように、前カバー２２には、前飾り発光基板３３の中央部の挿通孔３３ｂ（発光基板不存在位置に相当する）を通り後方に延出するボス部２２ｂが形成されている。また、前側装飾部２３にも後方に向けて有底の筒状部２３ｂが突出形成されている。そして、前側装飾部２３の筒状部２３ｂに前カバー２２のボス部２２ｂを挿入し、前側装飾部２３と前カバー２２とを前カバー取付ビス４１（カバー体用締結部材；カバー体用締結手段）によって筒状部２３ｂの後方端面側から共締め固定してある。
【００３１】
図４に戻り、前飾り発光基板３３には、挿通孔３３ｂとは別に、普通図柄発光素子３３ａ１を挟んで左右一対の挿入孔３３ｃ，３３ｃが貫通形成されている。また図３及び図６に示すように、前カバー２２には、前飾り発光基板３３の挿入孔３３ｃ，３３ｃを通って後方に突出する一対の係合凸部２２ｃ，２２ｃが形成されている。さらに、前側装飾部２３には、前後方向に貫通して一対の係合孔２３ｃ（係合凹部）が形成されていて、一対の回動翼片２０ａ，２０ａを支持する回動軸２０ｂ，２０ｂの前端側をそれぞれ支持し、前カバー２２の係合凸部２２ｃ，２２ｃにそれぞれ嵌合する。なお、回動軸２０ｂ，２０ｂの後端側は、台板２４の支持孔２４ｅ及び第二ケース２５ｂの有底筒部２５ｂ１に支持されている。
【００３２】
図２及び図３に戻り、台板２４の後面には、台板２４の外周縁よりもやや小さい台板凹部２４ａが形成されている。中央部に貫通孔３４ｂを有する環状の台板発光基板３４が台板凹部２４ａに収納され、台板発光基板３４の主表面（前面）に実装された台板発光素子３４ａ（図４参照）が前方に向けて発光する。また、台板２４には、台板発光素子３４ａが発する光を外部に漏出させるために、透明樹脂製で蓋状又は連通孔状の台板表示部２４ｂが台板発光素子３４ａの装着位置に対応して形成されている。
【００３３】
具体的には、図４にも示すように、台板発光基板３４の最上部には、複数（例えば２個）の台板発光素子が左右に振分配置されて、上部入賞口発光素子３４ａ１を構成する。そして、台板２４には、上部入賞口２０ｅを外側周囲（例えば斜め下方）から照らし出すために、上部入賞口２０ｅの外周を部分的に外側から取り囲む同数の光反射部２４ｄ，２４ｄが前方に突出して配置されている。このようにして、台板２４には、上部入賞口発光素子３４ａ１に対応して光反射部２４ｄを含む上部入賞口照射部２４ｂ１が形成される（図８参照）。
【００３４】
次に、台板２４の上部には、複数（例えば４個）の台板発光素子が左右に振分配置されて、玉案内通路発光素子３４ａ２を構成する。そして、台板２４には、これに対応して連通孔状で同数の台板表示孔（図６参照）が配置されて、玉案内通路照射部２４ｂ２を構成する。さらに、台板２４の最下部には、複数（例えば２個）の台板発光素子が左右に振分配置されて、前方発光素子３４ａ３を構成する。そして、台板２４には、これに対応して連通孔状で同数の台板表示孔（図６参照）が配置されて、前方照射部２４ｂ３を構成し、上記した光拡散部２０ｆ及び光透過部２３ｄ，２３ｄを介して前側装飾部２３を照らし出す。
【００３５】
図５に示すように、台板２４には、台板発光基板３４の中央部の貫通孔３４ｂの形成位置（発光基板不存在位置に相当する）に対応して、第二ケース２５ｂに収納された伝動機構２７及び玉誘導樋２０ｇを収容・配置するための収容孔２４ｃが形成されている。台板凹部２４ａに台板発光基板３４を収納保持して、台板２４を遊技盤２の盤面に対して前方側から取り付ける。その台板２４に対して前方側から前側装飾部２３を重ね合わせるとともに、後方側からケーシング２５（第二ケース２５ｂ）を重ね合わせて配置する。図６に示すように、これらの台板２４と前側装飾部２３とケーシング２５とを、台板発光基板３４の貫通孔３４ｂの内部（発光基板不存在位置）を通る第二ケース取付ビス４２（ケーシング用締結部材）によって共締め固定する。
【００３６】
なお、図３に示すように、上部入賞口２０ｅは、上部入賞口取付ビス４３によって第二ケース２５ｂに固定されている。また、第一ケース２５ａは、第一ケース取付ビス４４によって第二ケース２５ｂに固定されている。さらに、ソレノイド２６は、ソレノイド取付ビス４５によって第一ケース２５ａに固定されている。
【００３７】
このように、前飾り凹部２３ａに前飾り発光基板３３を収納保持し、前側装飾部２３の筒状部２３ｂと前カバー２２のボス部２２ｂとを、発光基板不存在位置（前飾り発光基板３３の挿通孔３３ｂ位置）にて前カバー取付ビス４１により後方端面側から共締め状態で固定する。つまり、前飾り発光基板３３の挿通孔３３ｂに前カバー２２のボス部２２ｂを挿入することによって、発光基板不存在位置での前カバー取付ビス４１による共締め固定が可能となる。したがって、前飾り発光基板３３を薄くかつ小さく形成しても割れ・変形等を生じにくく耐久性が向上し、スタートチャッカー２０全体の小型化・簡素化を図ることができる。
【００３８】
しかも、前飾り発光基板３３の中央部に形成された挿通孔３３ｂを介して、前側装飾部２３の筒状部２３ｂと前カバー２２のボス部２２ｂとが係合される一方、挿通孔３３ｂとは別の位置に形成された挿入孔３３ｃを介して、前側装飾部２３の係合孔２３ｃと前カバー２２の係合凸部２２ｃとが係合される。したがって、これら両者の係合により前飾り凹部２３ａにおける前飾り発光基板３３の位置決めが容易かつ正確に行える。
【００３９】
一方、台板凹部２４ａに台板発光基板３４を収納保持し、台板２４と前側装飾部２３とケーシング２５の３者を、発光基板不存在位置（台板発光基板３４の貫通孔３４ｂ位置）にて第二ケース取付ビス４２によって共締め固定することができる。これによって、台板発光基板３４を薄くかつ小さく形成しても割れ・変形等を生じにくく耐久性が向上し、スタートチャッカー２０全体の小型化・簡素化を図ることができる。
【００４０】
さらに、前飾り発光基板３３［台板発光基板３４］を環状形成することにより、前飾り発光基板３３［台板発光基板３４］がずれないように前側装飾部２３［台板２４］（の前飾り凹部２３ａ［台板凹部２４ａ］）と前カバー２２［ケーシング２５］とで押圧保持する場合でも、その保持面積（押圧面積）が広くなるので、基板に働く圧縮応力を低く抑えることができる。したがって、前飾り凹部２３ａ［台板凹部２４ａ］での前飾り発光基板３３［台板発光基板３４］のずれを防止するために前カバー取付ビス４１［第二ケース取付ビス４２］で強く締め付けても、前飾り発光基板３３［台板発光基板３４］の割れ・変形等が発生しにくくなる。
【００４１】
次に図１０は図１のパチンコ機の電気的構成を概略的に示すブロック図である。図１０に示すように、遊技制御装置１００は、主制御基板１１０（主制御部；発光制御部）、発光制御基板１２０（発光制御部）及び表示制御基板１３０（表示制御部）を含むものとして構成されている。
【００４２】
主制御基板１１０は、演算装置であるＣＰＵ１１１（第一及び第二の当否抽選手段）と、各種プログラム等が予め記憶された読み取り専用記憶装置であるＲＯＭ１１２と、読み書き可能な主記憶装置でありワークエリアとして使用されるＲＡＭ１１３と、入出力ポート１１４とを備えており、これらはバス（図示せず）を介して相互に接続されている。
【００４３】
主制御基板１１０には、スルーゲート１０Ｌ，１０Ｒに付設されたゲートセンサ１１Ｌ，１１Ｒ、スタートチャッカー２０に付設されたチャッカーセンサ２１、アタッカー６に付設されたアタッカーセンサ６１（図１参照）からの遊技球検知信号がそれぞれ入力されている。
【００４４】
発光制御基板１２０は、主制御基板１１０より入力される発光制御信号に応じて、次の発光態様をそれぞれ制御する。
（ａ）台板発光基板３４に実装された上部入賞口発光素子３４ａ１、玉案内通路発光素子３４ａ２及び前方発光素子３４ａ３；
（ｂ）サイドランプ７Ｌ，７Ｒ（図１参照）。
【００４５】
表示制御基板１３０は、主制御基板１１０より入力される表示制御信号に応じて、液晶表示部５に画像を表示させるための処理（制御）を実行する。なお、主制御基板１１０（ＣＰＵ１１１）から出力される普通図柄表示制御信号に応じて、前飾り発光基板３３に実装された普通図柄発光素子３３ａ１及び普通図柄保留発光素子３３ａ２が駆動制御される。また、主制御基板１１０（ＣＰＵ１１１）から出力されるスタートチャッカー制御信号により、スタートチャッカー２０の回動翼片２０ａ，２０ａ（図１参照）を回動変位させるためのチャッカーソレノイド２６が駆動制御される。同様に、主制御基板１１０（ＣＰＵ１１１）から出力されるアタッカー制御信号により、アタッカー６の開閉扉６ａ（図１参照）を回動変位させるためのアタッカーソレノイド２９が駆動制御される。
【００４６】
以上の遊技制御装置１００によるパチンコ遊技の一例（一部）を図１１〜図１３に示すフローチャートにより説明する。図１１に示す通過検知処理のフローチャートでは、Ｓ１にてゲートセンサ１１Ｌ，１１Ｒがスルーゲート１０Ｌ，１０Ｒを通過する遊技球を検知したかを確認する。通過遊技球が検知されると（Ｓ１でＹＥＳ）、Ｓ２にて内部抽選（第二の当否抽選）を実行し、次にＳ３にて普通図柄の保留数（普通図柄保留発光素子３３ａ２の点灯数）が４個に達しているかをチェックする。普通図柄の保留数が４個未満であれば（Ｓ３でＮＯ）、Ｓ４にて抽選結果を記憶し、Ｓ５にて普通図柄保留発光素子３３ａ２を新たに１個点灯して、リターンする。なお、普通図柄の保留数が４個に達していれば（Ｓ３でＹＥＳ）直ちにリターンする。
【００４７】
次に、図１２に示す普通図柄の呼出処理のフローチャートでは、Ｓ１１にて普通図柄の保留の有無、Ｓ１２にて普通図柄の変動表示中か否か、Ｓ１３にてスタートチャッカー２０（回動翼片２０，２０ａ）が第二位置（開放状態）か否かを順次判定する。普通図柄の保留があり（Ｓ１１でＹＥＳ）、普通図柄の変動表示が行われておらず（Ｓ１２でＮＯ）、かつスタートチャッカー２０が第一位置（閉鎖状態）であるとき（Ｓ１３でＮＯ）、Ｓ１４にて最古の抽選結果を呼び出し、Ｓ１５にて普通図柄保留発光素子３３ａ２を１個消灯した後、Ｓ１６にて普通図柄の変動処理サブルーチンを実行してリターンする。なお、普通図柄の保留がない場合（Ｓ１１でＮＯ）、普通図柄の変動表示中の場合（Ｓ１２でＹＥＳ）、及びスタートチャッカー２０が第二位置（開放状態）にある場合には、いずれも直ちにリターンする。
【００４８】
さらに、図１３に示す普通図柄の変動処理サブルーチンのフローチャートでは、Ｓ１６１にて当否の判定を行い、Ｓ１６２にて普通図柄発光素子３３ａ１での変動表示を開始し、変動表示時間経過後にＳ１６３にて抽選結果を再チェックする。抽選結果が当たりであれば（Ｓ１６３でＹＥＳ）、Ｓ１６４にて普通図柄発光素子３３ａ１を「○」で停止表示し、Ｓ１６５にてスタートチャッカー２０を第二位置（開放状態）とする。それと同時にＳ１６６にてすべての台板発光素子３４ａ（上部入賞口発光素子３４ａ１、玉案内通路発光素子３４ａ２及び前方発光素子３４ａ３）を点滅表示（演出表示）する（図９参照）。所定時間が経過すれば、Ｓ１６７にてスタートチャッカー２０を第一位置（閉鎖状態）とし、Ｓ１６８にてすべての台板発光素子３４ａを消灯してリターンする。なお、抽選結果が外れであれば（Ｓ１６３でＮＯ）、Ｓ１６９にて普通図柄発光素子３３ａ１を「×」で停止表示して直ちにリターンする。
【００４９】
このように、普通図柄（第二の当否抽選）の抽選結果が普通図柄発光素子３３ａ１で変動表示及び停止表示される。また、抽選結果が当たりの場合には、すべての台板発光素子３４ａによる演出表示が行われるので、発光態様の変化により新たな興趣を喚起できるとともに、遊技者は遊技の進行状況を的確に把握することができる。
【図面の簡単な説明】
【００５０】
【図１】本発明に係る入賞装置を備えたパチンコ機の一例を示す正面図。
【図２】本発明に係る入賞装置の一例を示す平面図、正面図、側面図及び背面図。
【図３】図２の入賞装置の分解斜視図。
【図４】台板発光基板及び前飾り発光基板の斜視図。
【図５】図２（ｂ）のＡ−Ａ断面拡大図。
【図６】図２（ｂ）のＢ−Ｂ断面拡大図。
【図７】図２（ｂ）のＣ−Ｃ断面拡大図。
【図８】図２（ｂ）のＤ−Ｄ断面拡大図。
【図９】図２（ｂ）の作動説明図。
【図１０】図１のパチンコ機の電気的構成を概略的に示すブロック図。
【図１１】通過検知処理を示すフローチャート。
【図１２】普通図柄の呼出処理を示すフローチャート。
【図１３】普通図柄の変動処理サブルーチンを示すフローチャート。
【符号の説明】
【００５１】
１          パチンコ機（遊技機）
２          遊技盤
２０        スタートチャッカー（遊技機用入賞装置；遊技機用役物装置）
２０ａ      回動翼片（回動部材）
２０ｂ      回動軸
２０ｃ      始動入賞口（入賞口）
２０ｄ      玉案内通路
２０ｅ      上部入賞口
２１        チャッカーセンサ（遊技球検出センサ）
２２        前カバー（カバー体；発光表示盤）
２２ａ      前飾り表示孔（前飾り表示部）
２２ａ１    普通図柄表示部
２２ａ２    普通図柄保留表示部
２２ｂ      ボス部
２２ｃ      係合凸部
２３        前側装飾部
２３ａ      前飾り凹部
２３ｂ      筒状部
２３ｃ      係合孔（係合凹部）
２４        台板
２４ａ      台板凹部
２４ｂ      台板表示孔（台板表示部）
２４ｂ１    上部入賞口照射部
２４ｂ２    玉案内通路照射部
２４ｂ３    前方照射部
２４ｃ      収容孔
２４ｄ      光反射部
２５        ケーシング
２５ａ      第一ケース
２５ｂ      第二ケース
２６        ソレノイド（アクチュエータ）
２７        伝動機構
３３        前飾り発光基板
３３ａ      前飾り発光素子
３３ａ１    普通図柄発光素子
３３ａ２    普通図柄保留発光素子
３３ｂ      挿通孔
３３ｃ      挿入孔
３４        台板発光基板
３４ａ      台板発光素子
３４ａ１    上部入賞口発光素子
３４ａ２    玉案内通路発光素子
３４ａ３    前方発光素子
３４ｂ      貫通孔
４１        前カバー取付ビス（カバー体用締結部材；カバー体用締結手段）
４２        第二ケース取付ビス（ケーシング用締結部材）
Ｏ          軸線
【図１】
2008086699.tif 000003
【図２】
2008086699.tif 000004
【図３】
2008086699.tif 000005
【図４】
2008086699.tif 000006
【図５】
2008086699.tif 000007
【図６】
2008086699.tif 000008
【図７】
2008086699.tif 000009
【図８】
2008086699.tif 000010
【図９】
2008086699.tif 000011
【図１０】
2008086699.tif 000012
【図１１】
2008086699.tif 000013
【図１２】
2008086699.tif 000014
【図１３】
2008086699.tif 000015